(57)【要約】【課題】カタログ等の印刷物の在庫を保有しておくことなく、かつ、印刷物を提供する際のコストを削減する。【解決手段】印刷物を請求するための情報画面を印刷物提供サーバ５０から通信回線３０を介して携帯端末１０に提供し、携帯端末１０にて情報画面を用いて印刷物が請求されると、請求された印刷物を、印刷物を請求した携帯端末１０の位置情報によって特定されるプリンタ端末４０に印刷物提供サーバ５０から通信回線３０を介して印刷データとして送信し、その後、プリンタ端末４０にて印刷物としてプリントアウトする。【選択図】　図１
2004094557.tif 000002
【特許請求の範囲】
【請求項１】
通信回線を介して請求された印刷物を提供する印刷物提供システムであって、
通信回線に接続可能な携帯端末及び印刷端末と、
印刷物を請求するための情報画面を通信回線を介して前記携帯端末に提供するとともに、前記携帯端末にて前記情報画面を用いて印刷物が請求された場合、該請求された印刷物の印刷データを、前記印刷物を請求した携帯端末の位置情報によって特定される印刷端末に送信する印刷物提供手段とを有することを特徴とする印刷物提供システム。
【請求項２】
請求項１に記載の印刷物提供システムにおいて、
前記携帯端末は、当該携帯端末の位置情報を取得する手段を有し、
前記印刷物提供手段は、前記携帯端末にて取得された位置情報によって特定される印刷端末に前記印刷データを送信することを特徴とする印刷物提供システム。
【請求項３】
請求項１に記載の印刷物提供システムにおいて、
前記印刷物提供手段は、前記携帯端末と通信を行っている基地局装置の位置情報を用いて前記携帯端末の位置情報を認識することを特徴とする印刷物提供システム。
【請求項４】
請求項１乃至３のいずれか１項に記載の印刷物提供システムにおいて、
前記印刷物提供手段は、前記携帯端末の顧客情報として登録されている情報に基づく情報画面を前記携帯端末に提供することを特徴とする印刷物提供システム。
【発明の詳細な説明】
【０００１】
【発明の属する技術分野】
本発明は、カタログ等の印刷物を提供する印刷物提供システムに関し、特に、通信回線を介して請求された印刷物を提供する印刷物提供システムに関する。
【０００２】
【従来の技術】
近年、インターネットの普及に伴い、商品等のカタログを、商品等を取り扱う店舗等に出向かずにインターネットを介して請求し、取り寄せることが可能になっている。
【０００３】
図３は、従来のインターネットを利用したカタログ提供方法を説明するための図である。
【０００４】
例えば、端末１１０−１のユーザが、企業団体１２０−１が取り扱う商品等のカタログをインターネット１３０を介して請求する場合は、まず、端末１１０−１を用いて企業団体１２０−１の運営するホームページにアクセスする。
【０００５】
すると、企業団体１２０−１の運営するホームページが企業団体１２０−１からインターネット１３０を介して送信され、端末１１０−１に表示される。
【０００６】
端末１１０−１に表示される企業団体１２０−１のホームページには、取り扱う商品等のカタログを請求するための領域が設けられており、ユーザは、この領域にて所望の商品等のカタログを指定するとともに、ユーザの氏名や住所、電話番号、あるいはカタログの発送先等の情報を入力し、インターネット１３０を介して企業団体１２０−１に送信する。これにより、企業団体１２０−１に対してカタログ請求が行われたことになる。
【０００７】
企業団体１２０−１においては、インターネット１３０を介して請求されたカタログを封入・封緘し、指定された発送先に郵送等の手段を用いて発送する。
【０００８】
その後、カタログを請求したユーザは、企業団体１２０−１から発送されたカタログを受け取る。
【０００９】
【発明が解決しようとする課題】
上述したような従来のカタログ提供方法においては、商品等のカタログは、企業団体が指定する印刷業者にて印刷される場合が多い。
【００１０】
その場合、企業団体がカタログに掲載したい情報を予め印刷業者に渡しておき、その後、印刷業者において、企業団体から渡された情報に基づいて印刷データを作成し、カタログを印刷している。
【００１１】
そのため、ユーザから企業団体に商品等のカタログが請求された際に、カタログが請求されてから短期間でユーザにカタログを発送するためには、企業団体にてカタログの在庫を保有しておかなければならず、そのためのスペースが必要となってしまうという問題点がある。
【００１２】
また、カタログの封入・封緘処理を企業団体が指定する業者にて行う場合もあるが、その場合においても、カタログの封入・封緘処理を行う業者において、カタログの在庫を保有しておかなければならず、上記同様の問題点が生じてしまう。
【００１３】
また、カタログに掲載される内容が改訂された時点で、内容が改訂される前のカタログの在庫が存在している場合、無駄なコストが発生してしまうという問題点がある。
【００１４】
また、カタログを発送する業者において、カタログを発送するためのコストがかかってしまい、カタログの数が膨大である場合、カタログの数に伴って膨大なコストがかかってしまうという問題点がある。
【００１５】
本発明は、上述したような従来の技術が有する問題点に鑑みてなされたものであって、カタログ等の印刷物の在庫を保有しておくことなく、かつ、印刷物を提供する際のコストを削減することができる印刷物提供システムを提供することを目的とする。
【００１６】
【課題を解決するための手段】
上記目的を達成するために本発明は、
通信回線を介して請求された印刷物を提供する印刷物提供システムであって、
通信回線に接続可能な携帯端末及び印刷端末と、
印刷物を請求するための情報画面を通信回線を介して前記携帯端末に提供するとともに、前記携帯端末にて前記情報画面を用いて印刷物が請求された場合、該請求された印刷物の印刷データを、前記印刷物を請求した携帯端末の位置情報によって特定される印刷端末に送信する印刷物提供手段とを有することを特徴とする。
【００１７】
また、前記携帯端末は、当該携帯端末の位置情報を取得する手段を有し、
前記印刷物提供手段は、前記携帯端末にて取得された位置情報によって特定される印刷端末に前記印刷データを送信することを特徴とする。
【００１８】
また、前記印刷物提供手段は、前記携帯端末と通信を行っている基地局装置の位置情報を用いて前記携帯端末の位置情報を認識することを特徴とする。
【００１９】
また、前記印刷物提供手段は、前記携帯端末の顧客情報として登録されている情報に基づく情報画面を前記携帯端末に提供することを特徴とする。
【００２０】
（作用）
上記のように構成された本発明においては、通信回線に接続可能な携帯端末にて印刷物提供手段にアクセスすると、印刷物を請求するための情報画面が印刷物提供手段から通信回線を介して携帯端末に提供される。携帯端末にてこの情報画面を用いて印刷物が請求されると、請求された印刷物の印刷データが、印刷物を請求した携帯端末の位置情報によって特定される印刷端末に送信され、この印刷端末にて印刷データが印刷物としてプリントアウトされる。
【００２１】
このように、印刷物の請求が通信回線を介して行われるとともに、請求された印刷物が、印刷物を請求した携帯端末の位置情報によって特定される印刷端末に印刷データとして送信され、その後、印刷端末にて印刷物としてプリントアウトされるので、印刷物の在庫を保有しておく必要がなくなるとともに、印刷物を発送する必要がなくなり、コストの削減が図られる。
【００２２】
【発明の実施の形態】
以下に、本発明の実施の形態について図面を参照して説明する。
【００２３】
図１は、本発明の印刷物提供システムの実施の一形態を示す図である。
【００２４】
本形態は図１に示すように、基地局装置２０を介して通信回線３０と接続可能な携帯端末１０と、通信回線３０に接続可能に構成され、通信回線３０を介して送信されてきた印刷データを印刷物としてプリントアウトするプリンタ端末４０と、請求する印刷物を選択するための情報画面を通信回線３０を介して携帯端末１０に提供するとともに、その情報画面にて選択された印刷物の印刷データを携帯端末１０の位置情報に基づいて特定されるプリンタ端末４０に送信する印刷物提供サーバ５０とから構成されている。なお、携帯端末１０、基地局装置２０及びプリンタ端末４０はそれぞれ１つずつしか図示していないが、それぞれ複数設けられている。また、プリンタ端末４０は、コンビニエンスストア（不図示）等の任意な位置に設置されている。
【００２５】
また、印刷物提供サーバ５０は、通信回線３０を介して携帯端末１０あるいはプリンタ端末４０と通信を行う通信部５１と、印刷物を選択するための情報画面を通信回線３０を介して携帯端末１０に提供するとともに、情報画面に入力された情報を受け付けるサイト管理部５２と、サイト管理部５２にて受け付けられた情報と顧客情報データベース６１に登録された情報とを照合する照合部５３と、サイト管理部５２にて提供された情報画面にて選択された印刷物の印刷データを印刷物情報データベース６２から抽出する印刷物情報検索部５４と、携帯端末１０の位置情報に基づいて、プリンタ情報データベース６３に登録されたプリンタ端末のうち携帯端末１０の近くに存在するプリンタ端末４０を検出するプリンタ検出部５５と、印刷物情報検索部６２にて印刷物情報データベース６２から抽出された印刷データをプリンタ検出部５５にて検出されたプリンタ端末４０に送信する印刷物情報出力部５６とから構成されている。
【００２６】
以下に、上記のように構成された印刷物提供システムにおける印刷物提供方法について説明する。
【００２７】
図２は、図１に示した印刷物提供システムにおける印刷物提供方法を説明するためのフローチャートである。
【００２８】
印刷物提供サーバ５０にて提供される印刷物を請求する場合、印刷物提供サーバ５０が運営する印刷物提供サイトに携帯端末１０を用いてアクセスすると（ステップＳ１）、まず、印刷物提供サーバ５０のサイト管理部５２からユーザのＩＤ及びパスワードを入力するための画面が通信回線３０を介して携帯端末１０に送信される（ステップＳ２）。
【００２９】
印刷物提供サーバ５０のサイト管理部５２から送信された画面は、携帯端末１０にて受信され、表示される（ステップＳ３）。
【００３０】
携帯端末１０のユーザは、携帯端末１０に表示された、ＩＤ及びパスワードを入力するための画面にＩＤ及びパスワードを入力し（ステップＳ４）、入力したＩＤ及びパスワードを、携帯端末１０の位置情報とともに送信する（ステップＳ５）。ここで、携帯端末１０においては、携帯端末１０の位置情報を取得するための機能が設けられており、これにより、携帯端末１０の位置情報が取得され、この携帯端末１０の位置情報がＩＤ及びパスワードとともに印刷物提供サーバ５０に送信されることになる。なお、携帯端末１０における位置情報の取得については、ＧＰＳシステム等を利用した公知の手段によって行うことが考えられる。
【００３１】
携帯端末１０から送信されたＩＤ及びパスワード、並びに位置情報は通信回線３０を介して印刷物提供サーバ５０のサイト管理部５２にて受け付けられる（ステップＳ６）。
【００３２】
すると、印刷物提供サーバ５０の照合部５３において、サイト管理部５２にて受け付けられたＩＤ及びパスワードが顧客情報データベース６１に登録されているかどうかが照合される（ステップＳ７）。顧客情報データベース６１には、予め顧客として登録されたユーザの氏名や住所、携帯端末１０のメールアドレス等のユーザに関する情報が、ＩＤ及びパスワードと対応づけられて登録されているため、サイト管理部５２から提供された画面に入力されたＩＤ及びパスワードが顧客情報データベース６１に登録されているかどうかによって、携帯端末１０を操作しているユーザがユーザ登録されている者であるかを判断することができる。
【００３３】
サイト管理部５２にて受け付けられたＩＤ及びパスワードが顧客情報データベース６１に登録されている場合は、印刷物情報データベース６２に登録された印刷データの中から、所望の印刷データを選択するための情報画面がサイト管理部５２から送信される（ステップＳ８）。
【００３４】
サイト管理部５２から送信された、印刷データを選択するための情報画面は通信回線３０を介して携帯端末１０にて受信され、表示される（ステップＳ９）。
【００３５】
また、サイト管理部５２にて受け付けられたＩＤ及びパスワードが顧客情報データベース６１に登録されていない場合は、携帯端末１０にて入力されたＩＤ及びパスワードが登録されていない旨を示す情報がサイト管理部５２から送信され（ステップＳ１０）、該情報が携帯端末１０にて受信され、表示される（ステップＳ１１）。
【００３６】
また、印刷物提供サーバ５０においては、プリンタ検出部５５において、ステップＳ６にて受け付けられた、携帯端末１０の位置情報に基づいて、プリンタ情報データベース６３に登録されたプリンタ端末のうち携帯端末１０の近くに存在するプリンタ端末４０が検出される（ステップＳ１２）。ここで、プリンタ情報データベース６３には、予め登録されたプリンタ端末に印刷データを送信するためのアクセス情報がその設置位置情報に対応づけられて登録されている。
【００３７】
携帯端末１０のユーザが、ステップＳ９にて携帯端末１０に表示された画面を用いて所望の印刷データを選択し、送信すると（ステップＳ１３）、選択された印刷データを示す情報が通信回線３０を介してサイト管理部５２にて受け付けられる（ステップＳ１４）。ここで、サイト管理部５２から携帯端末１０に対する、印刷データを選択するための情報画面の提供及び携帯端末１０のユーザによる印刷データの選択は段階的に行うことも考えられる。例えば、まず、サイト管理部５２から印刷データの分野を選択するための情報画面を携帯端末１０に提供し、携帯端末１０のユーザが所望の分野を選択した後、選択された分野の印刷データの中から所望の印刷データを選択するための情報画面をサイト管理部５２から携帯端末１０に提供し、携帯端末１０のユーザが所望の印刷データを選択すること等が考えられる。また、顧客情報データベース６１に、ＩＤ及びパスワードと対応づけて顧客の嗜好情報を登録しておき、携帯端末１０からＩＤ及びパスワードが送信されてきた際に、このＩＤ及びパスワードに対応づけられた顧客の嗜好情報を検索し、この嗜好情報に基づく分野の印刷データを選択する情報画面をサイト管理部５２から携帯端末１０に提供することも考えられる。
【００３８】
次に、印刷物情報検索部５４において、サイト管理部５２にて受け付けられた情報に基づいて、印刷物情報データベース６２から携帯端末１０のユーザが選択した印刷物の印刷データが抽出される（ステップＳ１５）。
【００３９】
その後、印刷物情報出力部５６において、印刷物情報検索部５４にて印刷物情報データベース６２から抽出された印刷データが、ステップＳ１２にてプリンタ検出部５５において検出されたプリンタ端末４０に通信回線３０を介して送信される（ステップＳ１６）。
【００４０】
印刷物提供サーバ５０の印刷物情報出力部５６から出力された印刷データは、通信回線３０を介してプリンタ端末４０にて受信され（ステップＳ１７）、その後、印刷物としてプリントアウトされる（ステップＳ１８）。
【００４１】
なお、本形態においては、携帯端末１０が自信で取得した位置情報に基づいて、印刷物提供サーバ５０から印刷データを送信するプリンタ端末４０を検出しているが、携帯端末１０と通信を行う基地局装置２０の位置に基づいてプリンタ端末４０を検出することも考えられる。ただし、その場合は、基地局装置２０の通信エリアには複数のプリンタ端末が存在することが考えられるため、プリンタ端末４０に識別番号を付与しておくか、プリンタ端末４０が設置された店舗等に識別番号を付与しておき、携帯端末１０にてその識別番号を指定し、指定された識別番号を有するプリンタ端末４０あるいは店舗に設置されたプリンタ端末４０に対して印刷物提供サーバ５０から印刷データを送信し、プリントアウトすること等の制御が必要となる。
【００４２】
【発明の効果】
以上説明したように本発明においては、通信回線を介して請求された印刷物を提供する印刷物提供システムにおいて、通信回線に接続可能な携帯端末及び印刷端末と、印刷物を請求するための情報画面を通信回線を介して携帯端末に提供するとともに、携帯端末にて情報画面を用いて印刷物が請求された場合、該請求された印刷物の印刷データを、印刷物を請求した携帯端末の位置情報によって特定される印刷端末に送信する印刷物提供手段とを設け、印刷物の請求が通信回線を介して行われるとともに、請求された印刷物が、印刷物を請求した携帯端末の位置情報によって特定される印刷端末に印刷データとして送信され、その後、印刷端末にて印刷物としてプリントアウトされる構成としたため、印刷物の在庫を保有しておくことなく、かつ、印刷物を提供する際のコストを削減することができる。
【００４３】
また、印刷物提供手段において、携帯端末の顧客情報として登録されている情報に基づく情報画面を携帯端末に提供するものにおいては、例えば、携帯端末の顧客の嗜好に合った印刷物を請求するための情報画面を携帯端末に提供することができる。
【図面の簡単な説明】
【図１】本発明の印刷物提供システムの実施の一形態を示す図である。
【図２】図１に示した印刷物提供システムにおける印刷物提供方法を説明するためのフローチャートである。
【図３】従来のインターネットを利用したカタログ提供方法を説明するための図である。
【符号の説明】
１０　　携帯端末
２０　　基地局装置
３０　　通信回線
４０　　プリンタ端末
５０　　印刷物提供サーバ
５１　　通信部
５２　　サイト管理部
５３　　照合部
５４　　印刷物情報検索部
５５　　プリンタ検出部
５６　　印刷物出力部
６１　　顧客情報データベース
６２　　印刷物情報データベース
６３　　プリンタ情報データベース
【図１】
2004094557.tif 000003
【図２】
2004094557.tif 000004
【図３】
2004094557.tif 000005